(57)【要約】【課題】ケーブル本体を切断することなく光ケーブルを通過させることが可能で、通過させた際に分岐接続に十分な光ファイバ芯線を引き出すことができ、特にＳＺ型ケーブルを幹線光ケーブルとして用いた際に好適に利用することができる分岐用光成端箱を提供する。【解決手段】光ファイバ芯線４１ａの余長部分を収納するための設置パターンを変更可能な余長収納部５と、光ファイバ芯線４１ａ、４２ａの接続部位を収納するための接続部位収納部６とを幹線光ケーブル４１の通線方向に沿って並設して、幹線光ケーブル４１の通線方向へ長い矩形状とした。したがって、特に幹線光ケーブル４１としてＳＺ型ケーブルを用いた場合、従来のようにケーブル本体４３を切断しなくても、通線させる幹線光ケーブル４１ａから分岐接続に十分な光ファイバ芯線を引き出すことが可能で、そのメリットを生かすことができる。【選択図】図２
2008040163.tif 000002
【特許請求の範囲】
【請求項１】
幹線光ケーブルから引き出した光ファイバ芯線を分岐光ケーブルに分岐接続するための矩形状の分岐用光成端箱であって、
前記光ファイバ芯線の余長部分を収納するための余長収納部と、前記光ファイバ芯線の接続部位を収納するための接続部位収納部とを前記幹線光ケーブルの通線方向に沿って並設して、前記分岐用光成端箱を、前記幹線光ケーブルの通線方向へ長い矩形状とするとともに、前記幹線光ケーブルを、前記通線方向両端部において、前記幹線光ケーブルのケーブル本体を固定するためのケーブル本体固定機構と、前記ケーブル本体と平行方向にテンションメンバを固定可能なテンションメンバ固定機構とを備えてなる配線固定具により固定可能とし、さらに、前記配線固定具による前記幹線光ケーブルの固定部間に、前記配線固定具を設置するための設置部を設けたことを特徴とする分岐用光成端箱。
【請求項２】
立設された複数のガイド部材を備えてなり、該ガイド部材に光ファイバ芯線を巻き付けるようにして前記光ファイバ芯線の余長部分を収納する余長収納部にあっては、前記ガイド部材の立設パターンを変更可能としたことを特徴とする請求項１に記載の分岐用光成端箱。
【請求項３】
余長収納部、接続部位収納部、及び配線固定具を設置可能なベースと、該ベースの前方を覆うカバーとからなり、通線される幹線光ケーブルを挟み込むようにして組み立て可能としたことを特徴とする請求項１又は２に記載の分岐用光成端箱。
【発明の詳細な説明】
【技術分野】
【０００１】
本発明は、光ファイバケーブルを分岐接続するための分岐用光成端箱に関するものである。
【背景技術】
【０００２】
たとえば建造物の複数階に亘って敷設されているような幹線光ケーブルから分岐ケーブルに分岐させるにあたり、特許文献１に記載されているような分岐用光成端箱が用いられている。
【０００３】
【特許文献１】特開２００５−３１２１２５号公報
【０００４】
ここで、従来、一般的に用いられている分岐用光成端箱６１について、図１０をもとに説明する。図１０は、従来の分岐用光成端箱６１の内部を示した説明図である。
分岐用光成端箱６１は、平板状のベース板６２の上端縁及び下端縁に、幹線光ケーブル６３、６３・・を固定するための幹線ケーブル固定部６４、６４と、分岐光ケーブル６５、６５・・を固定するための分岐ケーブル固定部６６、６６を備えてなるものである。幹線ケーブル固定部６４において、幹線光ケーブル６３は、ケーブル本体やテンションメンバ等が切断され、光ファイバ芯線６３ａが引き出された状態となっており、ケーブル本体は本体固定具６７により、テンションメンバはメンバ固定具６８により夫々固定されている。一方、分岐ケーブル固定部６６において、分岐光ケーブル６５は、ケーブル本体等が切断され、光ファイバ芯線６５ａが引き出された状態となっており、ケーブル本体が固定具６９により固定されている。
【０００５】
また、ベース板６２の中央部左寄り（上下の幹線ケーブル固定部６４、６４の間）には、切断されずに分岐用光成端箱６１内を通過する光ファイバ芯線６３ａの余長部を収納するための余長収納部７０が設けられている。さらに、ベース板６２の中央部右寄り（上下の分岐ケーブル固定部６６、６６の間）には、幹線光ケーブル６３から引き出された光ファイバ芯線６３ａと分岐光ケーブル６５から引き出された光ファイバ芯線６５ａとを接続した接続部を収納するための接続部収納トレー７１が設けられている。
【発明の開示】
【発明が解決しようとする課題】
【０００６】
近年、ケーブル本体の自長よりも長い光ファイバ芯線を収納可能な光ケーブル、所謂ＳＺ型ケーブルを幹線光ケーブル６３として用いることがある。しかしながら、上記特許文献１に記載の分岐用光成端箱のように、幹線光ケーブルから分岐光ケーブルに分岐するにあたり、ケーブル本体を一々切断して固定しなければならないとすると、上記ＳＺ型ケーブルのメリットを生かしきれないことなる。
また、上記分岐用光成端箱６１において、ＳＺ型ケーブルのケーブル本体を切断させずに通過させようとすると、余長収納部７０やメンバ固定具６８が邪魔となるし、また余長収納部７０と接続部収納トレー７１とを前後方向に積層するような構成としたところで、上下方向長さが足りないため、たとえＳＺ型ケーブルであったとしても分岐接続に十分な長さの光ファイバ芯線６３ａを引き出せないといった問題がある。
【０００７】
そこで、本発明は、上記問題を解決すべくなされたものであって、ケーブル本体を切断することなく光ケーブルを通過させることが可能で、通過させた際に分岐接続に十分な光ファイバ芯線を引き出すことができ、特にＳＺ型ケーブルを幹線光ケーブルとして用いた際に好適に利用することができる分岐用光成端箱を提供しようとするものである。
【課題を解決するための手段】
【０００８】
上記目的を達成するために、本発明のうち請求項１に記載の発明は、幹線光ケーブルから引き出した光ファイバ芯線を分岐光ケーブルに分岐接続するための矩形状の分岐用光成端箱であって、前記光ファイバ芯線の余長部分を収納するための余長収納部と、前記光ファイバ芯線の接続部位を収納するための接続部位収納部とを前記幹線光ケーブルの通線方向に沿って並設して、前記分岐用光成端箱を、前記幹線光ケーブルの通線方向へ長い矩形状とするとともに、前記幹線光ケーブルを、前記通線方向両端部において、前記幹線光ケーブルのケーブル本体を固定するためのケーブル本体固定機構と、前記ケーブル本体と平行方向にテンションメンバを固定可能なテンションメンバ固定機構とを備えてなる配線固定具により固定可能とし、さらに、前記配線固定具による前記幹線光ケーブルの固定部間に、前記配線固定具を設置するための設置部を設けたことを特徴とする。
請求項２に記載の発明は、請求項１に記載の発明において、立設された複数のガイド部材を備えてなり、該ガイド部材に光ファイバ芯線を巻き付けるようにして前記光ファイバ芯線の余長部分を収納する余長収納部にあっては、前記ガイド部材の立設パターンを変更可能としたことを特徴とする。
請求項３に記載の発明は、請求項１又は２に記載の発明において、余長収納部、接続部位収納部、及び配線固定具を設置可能なベースと、該ベースの前方を覆うカバーとからなり、通線される幹線光ケーブルを挟み込むようにして組み立て可能としたことを特徴とする。
【発明の効果】
【０００９】
本発明によれば、光ファイバ芯線の余長部分を収納するための余長収納部と、光ファイバ芯線の接続部位を収納するための接続部位収納部とを幹線光ケーブルの通線方向に沿って並設して、幹線光ケーブルの通線方向へ長い矩形状としている。したがって、特に幹線光ケーブルとしてＳＺ型ケーブルを用いた場合、従来のようにケーブル本体を切断しなくても、通線させる幹線光ケーブルから分岐接続に十分な光ファイバ芯線を引き出すことが可能で、そのメリットを生かすことができる。さらに、たとえば縦幹線用のケーブルラック上や該ケーブルラック付近の幹線ケーブルが密集するような狭い箇所にも設置することができる。
また、本発明によれば、幹線光ケーブルを、通線方向両端部において、幹線光ケーブルのケーブル本体を固定するためのケーブル本体固定機構と、ケーブル本体と平行方向にテンションメンバを固定可能なテンションメンバ固定機構とを備えてなる配線固定具により固定可能とし、さらに、配線固定具による幹線光ケーブルの固定部間に、配線固定具を設置するための設置部を設けており、幹線光ケーブルの終端を固定する際には、設置部に配線固定具を設置して幹線光ケーブルの終端から引き出されるテンションメンバを固定するようにしている。したがって、幹線光ケーブルの固定に係り固定箇所毎に専用の固定具を夫々設置する必要がなく、従来と比較して、幹線光ケーブルを固定するための固定部の構成が簡素となり、コストの低減を図ることができる上、幹線光ケーブルを切断することなく通過させる場合及び幹線光ケーブルの終端を固定する場合のどちらにも分岐用光成端箱を用いることができ、汎用性に富む。加えて、終端固定に用いる場合には、配線固定具を設置部に設置するだけで対応することができ、使い勝手が非常に良い。
さらに、請求項２に記載の発明によれば、立設された複数のガイド部材を備えてなり、該ガイド部材に光ファイバ芯線を巻き付けるようにして光ファイバ芯線の余長部分を収納する余長収納部にあっては、ガイド部材の立設パターンを変更可能としているため、光ファイバ芯線の余長長さに応じて、余長収納部の形状、すなわち光ファイバ芯線の収納態様を適当なものに変更することができる。したがって、余長収納部における収納態様等が変更できない従来のものでは、余長として収納するには若干光ファイバ芯線の長さが足りないといった事態が生じていたが、本発明によれば、分岐接続後の光ファイバ芯線の余長長さに応じて余長収納部における収納態様を決定すればよく、上記事態が生じないし、使い勝手が良い。
加えて、請求項３に記載の発明によれば、余長収納部、接続部位収納部、及び配線固定具を設置可能なベースと、該ベースの前方を覆うカバーとからなり、通線される幹線光ケーブルを挟み込むようにして組み立て可能としている。したがって、幹線光ケーブルを通過させるにあたり、通線加工等が不要で、既設の幹線光ケーブルを分岐させる際にも容易に対応することができる。
【発明を実施するための最良の形態】
【００１０】
以下、本発明の一実施形態となる分岐用光成端箱（以下、単に光成端箱と称す）について、図面をもとに説明する。
【００１１】
図１は、分岐用光成端箱１の外観を示した斜視説明図であり、図２は、分岐用光成端箱１に幹線光ケーブル４１及び分岐光ケーブル４２を敷設した状態を示した内部説明図である。
分岐用光成端箱１は、幹線光ケーブル４１を固定するための配線固定具１１等を前面に設置可能とした上下方向（通線方向）に長い矩形状のベース２と、該ベース２の前方を覆うように取り付けられるカバー３とからなるものであり、ベース２の上部及び下部には、幹線光ケーブル４１を固定するための配線固定具１１、１１と、分岐光ケーブル４２、４２・・を固定するための分岐ケーブル固定部４、４とが設けられている。
【００１２】
ここで、配線固定具１１について、図３〜図５をもとに説明する。図３は、配線固定具１を示した説明図であって、（ａ）は正面から見た説明図、（ｂ）は側方から見た説明図、（ｃ）は下方から見た説明図である。また、図４及び５は、配線固定具１１により幹線光ケーブル４１を固定した状態を示した説明図である。
配線固定具１１は、背板１２の上下に一対の突片１３、１３を一体的に突設してなる本体１４を有するものである。背板１２の中央部には、前方へと膨出するアーチ状の膨出部１６が設けられており、該膨出部１６の左右両側には、配線固定具１１を設置するとともにケーブル本体４３を固定するための固定ネジ３５を挿通可能な固定孔１５、１５が穿設されている。一方、突片１３、１３の背板１２との連結部の略中央には、膨出部１６に沿った形状の切り欠き１７が設けられており、配線固定具１１の設置状態において、本体１４の後方、すなわち膨出部１６の後方にケーブル本体４３を通すことができるようになっている。
【００１３】
また、突片１３、１３の先端には、それぞれ上下に相反する方向へ突出するフランジ部１８、１８が設けられている。そして、各突片１３とフランジ部１８との連結部には、逆三角形状に切り欠かれてなるメンバ挿通孔１９が設けられており、本体１４の膨出部１６前方に、幹線光ケーブル４１内に収納されているテンションメンバ４４（図８に示す）を挿通可能となっている。さらに、各フランジ部１８の基端部（突片１３との連結部）には、上記メンバ挿通孔１９の前方へ突出する押さえ片２０が突設されている。該押さえ片２０には、前後方向へ進入／後退する押さえネジ２１が取り付けられており、該押さえネジ２１の進入具合を調節して、押さえネジ２１の軸部先端とメンバ挿通孔１９前面との距離を調節することにより、メンバ挿通孔１９内を挿通するテンションメンバ４４の固定／解除を可能としている。
【００１４】
以上のような配線固定具１１は、設置面に対し、背板１２を設置面側へ向けた姿勢で固定孔１５、１５に固定ネジ３５、３５を挿通させ、各固定ネジ３５をベース２等に設けられている設置部としての螺入孔９に螺入することにより設置することができる。このようにして設置する配線固定具１１の膨出部１６とベース２前面との間には、スペース３６が形成されることになる。そこで、該スペース３６にケーブル本体４３を挿通させた状態で、固定ネジ３５、３５を締め付けると、図４及び５に示す如く、ケーブル本体４３を、膨出部１６により設置面側へ押し付けるようにして固定することができる。また、幹線光ケーブル４１の終端を固定する場合には、後述するように、押さえネジ２１、２１等を利用して、テンションメンバ４４を固定することができる。尚、配線固定具１１を取り付けるための螺入孔９は、下記の分岐ケーブル固定具４５及びベース２の中央部左寄りのスペース７内に夫々設けられており、配線固定具１１の設置位置は用途等に応じて適宜変更可能となっている。
【００１５】
次に、分岐ケーブル固定部４について説明する。
分岐ケーブル固定部４は、複数の分岐光ケーブル４２、４２・・を固定可能な分岐ケーブル固定具４５をベース２の凹部内に固定して設けられており、分岐ケーブル固定部４における分岐光ケーブル４２、４２・・の固定は結束バンド等にて行われる。また、分岐ケーブル固定具４５には、上記配線固定具１１を設置するための螺入孔（図示せず）が設けられている。尚、ベース２上部の分岐ケーブル固定具４５と下部の分岐ケーブル固定具４５とは対称形状となっている。
【００１６】
さらに、ベース２の中央部左寄り、すなわち配線固定具１１、１１の上下間は、幹線光ケーブル４１を通すためのスペース７となっている。一方、、ベース２の中央部右寄り、すなわち分岐ケーブル固定部４、４の上下間には、幹線光ケーブル４１から引き出された光ファイバ芯線４１ａや分岐光ケーブル４２から引き出された光ファイバ芯線４２ａの余長部分を収納する余長収納部５、５と、幹線光ケーブル４１と分岐光ケーブル４２との光ファイバ芯線同士を接続した融着接続部を収納するための接続部位収納部６とが設けられている。
【００１７】
余長収納部５は、光ファイバ芯線の余長部分をガイドするガイド片（ガイド部材）２５、２５・・と、ガイド片２５を設置するための複数の取付孔２６、２６・・とからなる。該余長収納部５は、ガイド片２５、２５・・を設置する取付孔２６、２６・・を適宜選択することにより、ガイド片２５、２５・・の設置パターンを変更することができ、光ファイバ芯線の余長長さ等に応じて、光ファイバ芯線を図２に示す如く長円状に巻き付けて収納したり、又は、図６に示す如く真円状に巻き付けて収納したりすることができるようになっている。そして、該余長収納部５、５は、下記の接続部位収納部６を挟んでその上下に並設されている。
接続部位収納部６は、光ファイバ芯線同士の融着接続部をベース２の前後方向で多段に収納できる収納棚２７、２７・・と、該収納棚２７を設置するための設置孔２８、２８・・とからなる。収納棚２７、２７・・も、上記ガイド片２５同様、光ファイバ芯線の余長長さ等に応じて使用する設置孔２８を選択することにより、図２に示す如く左右方向へ一列に並設したり、図６に示す如く上下方向にずらして設置したりする等、適宜変更可能となっている。
【００１８】
加えて、ベース２及びカバー３の上端縁と下端縁とには、ベース２とカバー３との隙間を閉塞するためのパッキン８、８・・が固着されており、該パッキン８、８・・にて分岐用光成端箱１内へ引き込まれる各種光ケーブルを前後から挟み込むようにして、カバー３はベース２に取り付けられる。
【００１９】
以上のように構成される分岐用光成端１内における幹線光ケーブル４１から分岐光ケーブル４２への分岐及び両光ケーブル４１、４２の固定について説明する。
まず、幹線光ケーブル４１の被覆部を除去して光ファイバ芯線４１ａを十分に引き出すとともに、分岐光ケーブル４２から光ファイバ芯線４２ａを十分に引き出して両者を融着接続する。次に、融着接続部を収納棚２７に収納するとともに、該収納棚２７を適当な設置孔２８に設置する。また、各光ファイバ芯線４１ａ、４２ａの余長長さに応じて、ガイド片２５、２５・・を取付孔２６、２６・・に適当な態様となるように設置して余長収納部５を形成し、光ファイバ芯線４１ａ、４２ａをガイド片２５、２５・・に巻き付けるようにして余長収納部５に収納する。さらに、幹線光ケーブル４１をベース２左寄りのスペース７を通すように載置した後、上下両端の被覆部が除去されていない部分を、配線固定具１１を用いて上述の如くして固定する。加えて、分岐光ケーブル４２を、分岐ケーブル固定部４において、結束バンド等により固定する。
このようにして、分岐用光成端箱１内における幹線光ケーブル４１から分岐光ケーブル４２への分岐及び両光ケーブル４１、４２の固定は行われる。
【００２０】
また、分岐用光成端箱１は、幹線光ケーブル４１を終端固定する際にも使用することができる。以下、分岐用光成端箱１を用いた幹線光ケーブル４１の終端固定について図７〜図９をもとに説明する。図７〜９は、配線固定具１１を用いて幹線光ケーブル４１の終端（ケーブル本体４３やテンションメンバ４４）を固定した状態を示した説明図である。
【００２１】
幹線光ケーブル４１の終端を固定するにあたっては、ケーブル本体４３の固定とテンションメンバ４４との固定のどちらも配線固定具１１を用いて行う。ケーブル本体４３の固定は、上述した通りで、ベース２の上部又は下部において配線固定具１１の膨出部１６の後面で押さえ付けるようにして固定する。また、ケーブル本体４３から引き出されたテンションメンバ４４は、配線固定具１１のメンバ挿通孔１９、１９間を渡すように挿通させ、押さえネジ２１、２１を締め付けることにより、押さえネジ２１とメンバ挿通孔１９の上面とで挟持固定することができる（図８及び９）。尚、このようにして幹線光ケーブル４１の終端を固定する場合、テンションメンバ４４を固定する配線固定具１１は、スペース７内に設けられている螺入孔９、９を利用して、ベース２の中央部左寄りに取り付ければよい。また、図８及び９では下方から通線させた状態を示しているが、通線方向を逆とすることも可能である。
【００２２】
上述したような分岐用光成端箱１によれば、ベース２及びカバー３を上下方向に長く形成するとともに、余長収納部５、５及び接続部位収納部６をベース２の中央部右寄りで上下方向へ並設し、ベース２の中央部左寄りに幹線光ケーブル４１を通すためのスペース７を設けている。したがって、幹線光ケーブル４１を切断することなく容易に分岐用光成端箱１内を通過させることができるし、特に幹線光ケーブル４１としてＳＺ型ケーブルを用いると、ケーブル本体４３を切断しなくても分岐するのに十分な光ファイバ芯線４１ａを引き出すことが可能で、そのメリットを生かすことができる。加えて、ベース２及びカバー３が上下方向に長く形成されていることで、たとえば縦幹線用のケーブルラック上や該ケーブルラック付近の幹線ケーブルが密集するような狭い箇所にも設置することができる。
【００２３】
また、光ファイバ芯線４１ａ、４２ａの余長長さに応じて、余長収納部５の形状や接続部位収納部６の設置位置を適宜変更可能としている。したがって、余長収納部５の形状等が変更できない従来のものでは、余長として収納するには若干光ファイバ芯線の長さが足りないといった事態が生じていたが、本発明によれば、接続後の余長長さに応じて余長収納部５の形状等を決定すればよく、上記事態が生じないし、使い勝手が良い。
【００２４】
さらに、配線固定具１１に、膨出部１６等といったケーブル本体固定機構と、メンバ挿通孔１９や押さえネジ２１等といったテンションメンバ固定機構との両者を具備しているため、幹線光ケーブル４１の固定に係り固定箇所毎に専用の固定具を夫々設置する必要がない。したがって、従来と比較して、幹線光ケーブルを固定するための固定部の構成が簡素となり、コストの低減を図ることができる。
【００２５】
さらにまた、上述の如く配線固定具１１がケーブル本体固定機構とテンションメンバ固定機構との両者を具備しているため、幹線光ケーブル４１を切断することなく通過させる場合及び幹線光ケーブル４１の終端を固定する場合のどちらにも分岐用光成端箱１を用いることができる。また、終端固定に用いる場合には、配線固定具１１の取付箇所を変更するだけで対応することができる。したがって、使い勝手が非常に良い。
【００２６】
またさらに、ケーブル本体４３を固定する場合には、前方から後方へアーチ状の膨出部１６の後面にて押さえ付けるようにして固定するため、既設の幹線光ケーブル４１に対しても好適に利用することができるし、径の異なる種々の光ケーブルを固定することができ、汎用性に富む。また、テンションメンバ４４の固定に関しても、押さえネジ２１の締め付け具合によって固定するという構成を採用しているため、同様の効果が言える。さらに、上記配線固定具１１を用いることで、分岐用光成端箱１への幹線光ケーブルの通線方向を自由に設定することができ、光ケーブル敷設における設計自由度が増すといった効果もある。
【００２７】
加えて、分岐用光成端箱１は、ベース２とカバー３とで幹線光ケーブル４１を挟み込むようにして組み立て可能となっているため、幹線光ケーブル４１を通過させるにあたり、通線加工等が不要で、既設の幹線光ケーブル４１にも容易に対応することができる。
【００２８】
尚、本発明の分岐用光成端箱に係る構成は、上記実施の形態に記載した態様に何ら限定されるものではなく、ベース、カバー、配線固定具、余長収納部、及び接続部位収納部等に係る構成を、本発明の趣旨を逸脱しない範囲で、必要に応じて適宜変更することができる。
【００２９】
たとえば、上記実施の形態では、接続部位収納部の上下に余長収納部を設けているが、余長収納部を接続部位収納部の上方又は下方のどちらかのみにしか設けないようにしてもよい。また、余長収納部におけるガイド部材の設置パターンも長円状及び真円状に何ら限定されることはなく、楕円状等としてもよいし、余長長さに応じて円の径を異ならせて対応するようにしてもよい。
加えて、配線固定具の膨出部の後面や押さえネジの先端に、幹線光ケーブルを傷つけないよう緩衝部材を設けてもよいし、押さえネジの先端に板状の押圧部材を設け、押さえネジが押圧部材を押圧することにより、押圧部材がテンションメンバを押さえ付けるように構成することも可能である。
【図面の簡単な説明】
【００３０】
【図１】分岐用光成端箱の外観を示した斜視説明図である。
【図２】分岐用光成端箱に幹線光ケーブル及び分岐光ケーブルを敷設した状態を示した内部説明図である。
【図３】、配線固定具を示した説明図であって、（ａ）は正面から見た説明図、（ｂ）は側方から見た説明図、（ｃ）は下方から見た説明図である。
【図４】配線固定具により幹線光ケーブルを固定した状態を示した説明図である。
【図５】配線固定具により幹線光ケーブルを固定した状態を示した説明図である。
【図６】余長収納部及び接続部位収納部の変形例を示した説明図である。
【図７】配線固定具を用いて幹線光ケーブルの終端を固定した状態を示した説明図である。
【図８】配線固定具を用いて幹線光ケーブルの終端を固定した状態を示した説明図である。
【図９】配線固定具を用いて幹線光ケーブルの終端を固定した状態を示した説明図である。
【図１０】従来の分岐用光成端箱を示した説明図である。
【符号の説明】
【００３１】
１・・分岐用光成端箱、２・・ベース、３・・カバー、４・・分岐ケーブル固定部、５・・余長収納部、６・・接続部位収納部、７・・スペース、８・・パッキン、９・・螺入孔、１１・・配線固定具、１２・・背板、１３・・突片、１４・・本体、１５・・固定孔、１６・・膨出部、１７・・切り欠き、１８・・フランジ部、１９・・メンバ挿通孔、２０・・押さえ片、２１・・押さえネジ、２５・・ガイド片、２６・・取付孔、２７・・収納棚、２８・・設置孔、３５・・固定ネジ、４１・・幹線光ケーブル、４２・・分岐光ケーブル、４１ａ、４２ａ・・光ファイバ芯線、４３・・ケーブル本体、４４・・テンションメンバ、４５・・分岐ケーブル固定具。
【図１】
2008040163.tif 000003
【図２】
2008040163.tif 000004
【図３】
2008040163.tif 000005
【図４】
2008040163.tif 000006
【図５】
2008040163.tif 000007
【図６】
2008040163.tif 000008
【図７】
2008040163.tif 000009
【図８】
2008040163.tif 000010
【図９】
2008040163.tif 000011
【図１０】
2008040163.tif 000012